(57)【要約】【課題】人間の持つ振動エネルギ−に共振しうる担持物を、人体に直接または間接的に接触させる装身具及び装置品または付着品を提供する。【解決手段】素粒子の振動エネルギ−を印荷した担持物３を封着した人体に直接接触させる装身具１と、また素粒子の振動エネルギ−を印荷した担持物を封着した人体に間接的に接触する装置品または付着品を構成するものである。【選択図】図１
0003121010.tif 000002
【実用新案登録請求の範囲】
【請求項１】
素粒子の振動エネルギ−を印荷した担持物を封着したことを特徴とする人体に直接接触させる装身具。
【請求項２】
素粒子の振動エネルギ−を印荷した担持物を封着したことを特徴とする人体に間接的に接触する装置品または付着品。
【請求項３】
封着が、練り込み・粒状固着・熱圧着・表面被覆である請求項１または請求項２記載の装身具及び装置品または付着品。
【請求項４】
装身具が、糸・紐・布帛・下着・靴下・サポ−タ−・腹巻・リストバンド・ベルト・マスク・クリ−ムである請求項１記載の装身具。
【請求項５】
装置品または付着品が、空気清浄器・陶磁器・電磁波遮蔽具・テレビ・携帯電話である請求項２記載の装身品または付着品。
【考案の詳細な説明】
【技術分野】
【０００１】  本考案は、装身具及び装置品または付着品に係り、更に詳しくは人体に共鳴しうる素粒子の振動エネルギ−を封着した装身具と装置品または付着品に関するものである。
【背景技術】
【０００２】  人間の生命体の構成要素となっている臓器は、細胞であり、アミノ酸（蛋白質）からなる有機化合物である。然しそれも辿ってゆくと、分子であり、原子であり、さらには原子を構成する陽子と電子、中性子を経て、素粒子という根源的な存在に至ると考えられている。この素粒子は、形ある粒子であると同時に、目に見えない振動エネルギ−として存在する。【０００３】  現在の物理学では、原子の中の空間には、「素粒子」が満ちあふれていると考えられている。小さな素粒子レベルで考えると、何もない筈の原子のまわりや原子の中には、電子や光子などの素粒子が突然飛び出す不思議な空間だとされている。そしてこの振動エネルギ−が「場」を作り、「場」の中にいる別の生命体の素である素粒子は、振動エネルギ−に共鳴してエネルギ−を得たり、あるいは相互にエネルギ−を与えあっている。【０００４】  この根源エネルギ−は、直接的にはその存在を感知することは出来ないが、人間の身体はその素粒子の振動エネルギ−によって生命を維持している。そして、水や空気や樹木の自然である宇宙生命のエネルギ−を受けて、人間は活性化している。従って、人間の構成要素であり生命力の素である生命エネルギ−は、宇宙に存在する素粒子振動エネルギ−と共振させると、人間の本来持っている振動エネルギ−は整えられて回復し、体のパワ−機能を発揮させることが期待できる。【０００５】  素粒子を生み出すための加速器の実験も、試みられている（例えば非特許文献１）。また素粒子の原理についての先行技術も開示されている（例えば特許文献１）。さらに素粒子の応用についての先行技術もある（例えば特許文献２）。そして振動エネルギ−については、一般的な振動エネルギ−の利用方法に止まっている（例えば特許文献３）。
【非特許文献１】素粒子の世界へ  Ｎｅｗｔｏｎ  ８  ２００５
【特許文献１】特開２００５−３１０８０２号公報
【特許文献２】特開２００５−１０１５０９号公報
【考案の開示】
【考案が解決しようとする課題】
【０００６】  そのために本考案は、人間の持つ振動エネルギ−に共振しうる担持物を、人体に直接または間接的に接触させる装身具及び装置品または付着品の提供を課題とする。
【課題を解決するための手段】
【０００７】  本考案は、素粒子の振動エネルギ−を印荷した担持物を封着した人体に直接接触させる装身具を構成して上記の課題を解決した。【０００８】  また本考案は、素粒子の振動エネルギ−を印荷した担持物を封着した人体に間接的に接触する装置品または付着品を構成して上記の課題を解決した
【考案の効果】
【０００９】  素粒子の振動エネルギ−は、自然界の宇宙エネルギ−を水・空気・樹木・鉱物などのあらゆる物質に生命エネルギ−として転換・入力しているので、これを人工的に担持させた物質を活用した製品を、人体に直接または間接的に接触させると、私達の生命エネルギ−と共鳴して、その本来の体の機能を回復・発揮させることができる。【００１０】  本考案の装身具及び装置品または付着品は、人体の生命エネルギ−の振動に共鳴するので、生命力や免疫力などを高めることができる。【００１１】  本考案の装身具及び装置品または付着品は、自律神経、うつ病、自閉症などの疾患を解消させることができる。【００１２】  本考案の振動エネルギ−は、金属や鉱物などの担持物に印荷させることができる。【００１３】  本考案の振動エネルギ−は、電波はもとより、光・音波でも伝わるので、電波・光・音の届く所では、同じように効果を発揮することができる。【００１４】  本考案の担持物は、練り込み・粒状固着・熱圧着・表面被覆によって装身具及び装置品または付着品へ封着させることができる。【００１５】  本考案の装身具は、糸・紐・布帛・下着・靴下・サポ−タ−・腹巻・リストバンド・ベルト・マスク・クリ−ムなどに利用することができる。【００１６】  本考案の装置品または付着品は、空気清浄器・陶磁器・電磁波遮蔽具・テレビ・携帯電話などに利用することができる。
【考案を実施するための最良の形態】
【００１７】  本考案の人体に直接または間接的に接触させる装身具及び装置品または付着品には、素粒子の振動エネルギ−を印荷した担持物を封着している。また担持物としては、金属や鉱物などが使用できる。そして担持物への素粒子振動エネルギ−の印荷は、一旦真空下で発生させる等の方法で行うことができる。また、素粒子の振動エネルギ−を入れ込んだ物質は、粉にして色々な物に再度成型して活用することができるし、また灰にして活用することもできる。【００１８】  以下、本考案の装身具及び装置品または付着品を図面に基づいて詳細に説明する。
【実施例１】
【００１９】  図１は、本考案の装身具からなるサポ−タ−の一部切欠拡大断面を含む斜視図であり、担持物を粒状固着した状態を示す実施例である。【００２０】  本実施例の装身具からなるサポ−タ−１は、特にコ−ス方向に伸縮性を持たせた、縦縞のニット編２からなる二重袋編みで構成さしている。素粒子の振動エネルギ−を印荷させた担持物３としては、放射性鉱石のゲルマニウムの粉末状を使用している。これは、繊維に練り込んでもよいが、本実施例の場合は、内面ニットの表面に粒状で固着さしている。粒状固着の方法は、編成し二重に縫製したサポ−タ−１を裏返して、その表面の表裏に担持物３を弾性接着剤に練り込んだ糊剤を、捺染方式で固着さしている。担持物３を封着したサポ−タ−１は、人体に直接接触させることによって生命エネルギ−の振動に共鳴し、関節痛の痛みを和らげ、血液をサラサラにする効果が期待される。
【実施例２】
【００２１】  図２は、本考案の装身具からなるリストバンドの一部切欠拡大断面を含む斜視図であって、担持物を熱圧着した状態を示す実施例である。【００２２】  本実施例の装身具からなるリストバント１１は、ニット編１２からなる二重袋編みで構成している。素粒子の振動エネルギ−を印荷させた担持物１３としては、殺菌性がありイオン化傾向の高い金属の銅の粉末を使用している。本実施例の場合は、内面ニットの表面に一旦粒状で実施例１の方法で固着させ、次にこれを熱圧着で一面に延ばしている。担持物１３を封着したリストバンド１１は、人体に直接接触させることによって、生命エネルギ−の振動に共鳴し、生命力を高め、ゴルフの飛距離を延ばす等の効果が期待される。【００２３】  本考案の装身具は、実施例１のサポ−タ−や、実施例２のリストバンドだけでなく、糸・紐・布帛・下着・靴下・腹巻・ベルト・マスク・クリ−ムなどにも適用することができる。
【実施例３】
【００２４】  図３は、本考案の装置品または付着品からなる陶磁器を示す正面図であり、担持物を練り込んだ状態を示す実施例である。【００２５】  本実施例の装置品または付着品は、花瓶からなる陶磁器２１である。素粒子の振動エネルギ−を印荷させた担持物２３としては、脱臭効果のあるフィラ−状の酸化チタンを使用し、これを陶磁器２１の上ぐすり内に練り込んでいる。この担持物２３を封着した花瓶２１を、人体に間接的に接触する２ｍ以内の室内に置くと、室内の蛍光灯によって光触媒の酸化チタンによる室内空気の脱臭効果は倍加され、すごい清涼感を得ることができる。
【実施例４】
【００２６】  図４は、本考案の装置品または付着品からなる空気清浄器のフィルタ−の断面図であって、担持物を表面被覆した状態を示す実施例である。【００２７】  本実施例の装置品または付着品は、空気清浄器３１に使用されるフィルタ−である。フィルタ−は、不織布３２で構成されているが、これに吸着効果のある活性炭のハニカム構造体からなる素粒子の振動エネルギ−を印荷させた担持物３３をラミネ−トで表面被覆している。この担持物３３を封着したフィルタ−を空気清浄器３１に使用すると、室内の塵埃の吸着効果は倍加され、多くのマイナスイオンによって体調を整えることができる。【００２８】  本考案の装置品またはは、実施例３の陶磁器、実施例４の空気清浄器だけでなく、電磁波遮蔽具・テレビ・携帯電話ほかにも適用することができる。
【産業上の利用可能性】
【００２９】  本考案の装身具及び装置品または付着品は、人体に直接または間接的に接触するあらゆるものに広く適用することができる。
【図面の簡単な説明】
【００３０】
【図１】  本考案の装身具からなるサポ−タ−の一部切欠拡大断面を含む斜視図である。
【図２】  本考案の装身具からなるリストバンドの一部切欠拡大断面を含む斜視図である。
【図３】  本考案の装置品または付着品からなる陶磁器を示す正面図である。
【図４】  本考案の装置品または付着品からなる空気清浄器のフィルタ−の断面図である。
【符号の説明】
【００３１】  １，１１              装身具
２１，３１            装置品または付着品
２，１２              ニット編
３２                  不織布
３，１３，２３，３３  担持物
【図１】
0003121010.tif 000003
【図２】
0003121010.tif 000004
【図３】
0003121010.tif 000005
【図４】
0003121010.tif 000006